(57)【要約】【課題】移動枠部材に設けた電動駆動源（モータ）等に起因して生じる振動等の発生を緩和して静粛性を実現し得るレンズ鏡筒を提供する。【解決手段】電動駆動源３１，３２と、レンズ鏡筒１を構成する複数の枠部材の内の一つである第１の枠１５と、電動駆動源が設けられ第１の枠に対し相対移動する第２の枠１４と、電動駆動源と第１の枠との間に設けられ電動駆動源と第１の枠との間を電気的に結ぶフレキシブルプリント基板２０と、固定部３０ａと圧接部３０ｂを有し梁状に形成さればね性を有しフレキシブルプリント基板をレンズ鏡筒内で案内し第１の枠若しくは第２の枠の一方に固定部が固定され、圧接部を第２の枠若しくは第１の枠に当て付けたガイド板３０とを具備する。【選択図】図１
2015138260.tif 000002
【特許請求の範囲】
【請求項１】
レンズ鏡筒において、
電動駆動源と、
上記レンズ鏡筒を構成する複数の枠部材の内の一つである第１の枠と、
上記電動駆動源が設けられ上記第１の枠に対し相対移動する第２の枠と、
上記電動駆動源と上記第１の枠との間に設けられ、上記電動駆動源と上記第１の枠との間を電気的に結ぶフレキシブルプリント基板と、
固定部と圧接部を有し、梁状に形成され、ばね性を有し、上記フレキシブルプリント基板を上記レンズ鏡筒内で案内し、上記第１の枠若しくは上記第２の枠の一方に上記固定部が固定され、上記圧接部を上記第２の枠若しくは上記第１の枠に当て付けたガイド板と、
を具備したことを特徴としたレンズ鏡筒。
【請求項２】
上記ガイド板は、光軸方向に伸びて片持ち梁状に設けられたことを特徴とした上記請求項１記載のレンズ鏡筒。
【請求項３】
上記電動駆動源は、合焦用レンズを駆動するモータであることを特徴とした上記請求項1又は請求項２のいずれか一つに記載のレンズ鏡筒。
【請求項４】
上記電動駆動源は、変倍用レンズを駆動するモータであることを特徴とした上記請求項1又は請求項２のいずれか一つに記載のレンズ鏡筒。
【発明の詳細な説明】
【技術分野】
【０００１】
この発明は、複数の枠部材からなり、電動駆動源とこの電動駆動源に接続されるフレキシブルプリント基板を有し、複数の枠部材のうちの一部の枠部材が光軸に沿う方向に進退自在に構成されてなるレンズ鏡筒に関するものである。
【背景技術】
【０００２】
従来、撮像装置等に用いられるレンズ鏡筒においては、複数の枠部材のうちの一部の枠部材を撮像光学系の光軸に沿う方向に進退移動させることにより合焦動作（フォーカシング）や変倍動作（ズーミング）を行なうものがある。この場合において、枠部材を進退移動させるための駆動源として、例えば電動モータ等の電動駆動源を適用したものが、一般に実用化されている。
【０００３】
この種のレンズ鏡筒において、例えば複数の枠部材のうち固定状態にある固定枠部材に固設された電気基板等と、上記固定枠部材に対して光軸方向に進退移動する移動枠部材に設けられる電動駆動源若しくはその他の電気部品等との間の電気的な接続手段として、例えば可撓性を有する電気基板であるフレキシブルプリント基板等が用いられるのが普通である。この場合、フレキシブルプリント基板は、移動枠部材の移動方向に余裕を持たせて形成し、移動枠部材の進退動作を吸収し得るように、折り返したり湾曲させたりした状態で所定空間内に収納されるように構成される。
【０００４】
例えば特開平９−１４５９７６号公報等によって開示されているレンズ鏡筒においては、移動枠部材の進退移動に伴うフレキシブルプリント基板の変形を小さな空間内で抑制させるための板状ガイド部材を設けることで、レンズ鏡筒内の空間を有効利用しながらフレキシブルプリント基板の収納空間を確保するというものである。
【０００５】
一方、従来のレンズ鏡筒においては、移動枠部材に電動駆動源であるモータ等を搭載したものがある。このような構成の従来のレンズ鏡筒では、電動駆動源（モータ）等から発生した振動が枠部材に伝達されると、移動枠部材と固定枠部材との間にがたつき等が発生する可能性があり、移動枠部材のスムースな進退移動を阻害する可能性がある。また、振動の発生に伴って異音，騒音が発生する可能性もある。
【先行技術文献】
【特許文献】
【０００６】
【特許文献１】特開平９−１４５９７６号公報
【発明の概要】
【発明が解決しようとする課題】
【０００７】
ところが、上記特開平９−１４５９７６号公報等によって開示される従来のレンズ鏡筒においては、例えば電動駆動源（モータ）等に起因する振動等が、移動枠部材の進退移動を阻害する可能性について考慮したものがなかった。また、振動等に起因する異音，騒音等についても、従来においては、あまり考慮されていなかった。
【０００８】
本発明は、上述した点に鑑みてなされたものであって、その目的とするところは、レンズ鏡筒において、移動枠部材に設けた電動駆動源（モータ）等に起因して生じる振動等の発生を抑止し、若しくは当該振動等を緩和して、移動枠部材のスムースな進退移動を確保して高精度な動作を実現し得ると共に、動作音の異音，騒音等を抑止して静粛性を実現し得るレンズ鏡筒を提供することである。
【課題を解決するための手段】
【０００９】
上記目的を達成するために、本発明の一態様のレンズ鏡筒は、電動駆動源と、上記レンズ鏡筒を構成する複数の枠部材の内の一つである第１の枠と、上記電動駆動源が設けられ上記第１の枠に対し相対移動する第２の枠と、上記電動駆動源と上記第１の枠との間に設けられ上記電動駆動源と上記第１の枠との間を電気的に結ぶフレキシブルプリント基板と、固定部と圧接部を有し梁状に形成され、ばね性を有し上記フレキシブルプリント基板を上記レンズ鏡筒内で案内し、上記第１の枠若しくは上記第２の枠の一方に上記固定部が固定され、上記圧接部を上記第２の枠若しくは上記第１の枠に当て付けたガイド板とを具備する。
【発明の効果】
【００１０】
本発明によれば、レンズ鏡筒において、移動枠部材に設けた電動駆動源（モータ）等に起因して生じる振動等の発生を抑止し、若しくは当該振動等を緩和して、移動枠部材のスムースな進退移動を確保して高精度な動作を実現し得ると共に、動作音の異音，騒音等を抑止して静粛性を実現し得るレンズ鏡筒を提供することができる。
【図面の簡単な説明】
【００１１】
【図１】本発明の一実施形態のレンズ鏡筒を分解して示す分解斜視図
【図２】本発明の一実施形態のレンズ鏡筒を組み立てた状態における縦断面図
【図３】本発明の一実施形態のレンズ鏡筒の構成要素のうち前半部を組み立てた状態の断面と、後半部を分解した状態のようすを示す部分断面斜視図
【図４】本発明の一実施形態のレンズ鏡筒の構成要素のうち４群レンズとレンズ側マウントリングを除いて組み立てた状態の断面を示す部分断面斜視図（沈胴状態時）
【図５】本発明の一実施形態のレンズ鏡筒の構成要素のうち４群レンズとレンズ側マウントリングを除いて組み立てた状態の断面を示す部分断面斜視図（使用状態時）
【図６】本発明の一実施形態のレンズ鏡筒における基板ユニットのみを取り出して示す要部分解斜視図
【図７】図２の一部（符号［７］で示す）領域を拡大して示す要部拡大断面図
【図８】図３の一部（符号［８］で示す）領域を拡大して示す要部拡大断面斜視図
【発明を実施するための形態】
【００１２】
以下、図示の実施の形態によって本発明を説明する。本発明の一実施形態は、例えば複数の光学レンズ群等からなり被写体像を結像させる撮像光学系を保持すると共に、当該撮像光学系を構成する複数の光学レンズ群のうちの一部の光学レンズ群を光軸に沿う方向に移動させ得る駆動機構を備え、例えばデジタルカメラやビデオカメラ等の撮像装置（以下、単にカメラという）に適用されるレンズ鏡筒を例示するものである。
【００１３】
また、本実施形態においては、レンズ鏡筒における撮影光学系の光軸を符号Ｏで表す。この光軸Ｏに沿う方向において、当該レンズ鏡筒が装着されるカメラ（不図示）の前面に対向する被写体のある側を前方というものとし、当該レンズ鏡筒のマウント部のある側を後方というものとする。
【００１４】
なお、以下の説明に用いる各図面においては、各構成要素を図面上で認識可能な程度の大きさとするため、各構成要素毎に縮尺を異ならせて示している場合がある。したがって本発明は、これらの図面に記載された構成要素の数量，構成要素の形状，構成要素の大きさの比率及び各構成要素の相対的な位置関係は、図示の形態のみに限定されるものではない。
【００１５】
図１は、本発明の一実施形態のレンズ鏡筒を分解して示す分解斜視図である。図２は、本発明の一実施形態のレンズ鏡筒を組み立てた状態における縦断面図である。図３は、本発明の一実施形態のレンズ鏡筒の構成要素のうち前半部は組み立てた状態の断面を示し、後半部は分解した状態を示す部分断面斜視図である。
【００１６】
図４，図５は、本発明の一実施形態のレンズ鏡筒の構成要素のうち４群レンズとレンズ側マウントリングを除いて組み立てた状態の断面を示す部分断面斜視図である。このうち図４は当該レンズ鏡筒を縮長した状態の沈胴状態を示し、図５は当該レンズ鏡筒を伸長させた使用状態を示している。なお、図４，図５においては、当該レンズ鏡筒の斜め後方から見たようすを示し、レンズ鏡筒の構成部材のうち後半部のマウントリング，４群レンズ保持枠の図示を省略している。図６は、本実施形態のレンズ鏡筒における基板ユニットのみを取り出して示す要部分解斜視図である。図７は、図２の一部（符号［７］で示す）領域を拡大して示す要部拡大断面図である。図８は、図３の一部（符号［８］で示す）領域を拡大して示す要部拡大断面斜視図である。
【００１７】
まず、本実施形態のレンズ鏡筒１の概略構成を示す。本実施形態のレンズ鏡筒１は、カメラ等の撮像装置に適用され撮影光学系を有する光学装置である。このレンズ鏡筒１は、図示するように、複数の円環形状若しくは筒形状の構成部材、即ちガイド枠１１と、１群枠保持枠１２と、カム枠１３と、移動枠１４（第２の枠）と、固定枠１５（第１の枠）と、基板ユニット１６と、レンズ側マウントリング１７と、１群レンズ保持枠２１と、２群レンズ保持枠２２（図１では不図示；図２〜図５等を参照）と、３群レンズ保持枠２３と、４群レンズ保持枠２４等によって主に構成されている。
【００１８】
ガイド枠１１は、１群枠保持枠１２を直進ガイドする構成部材である。ガイド枠１１は、全体が略円環形状若しくは略円筒形状に形成されている。ガイド枠１１は、後端縁部に後方に向けて突設される凸部１１ａを有している。この凸部１１ａは、移動枠１４に固定されているガイド枠固定板２５（後述する）に係合することによって、ガイド枠１１を移動枠１４に一体化している。なお、凸部１１ａは、ガイド枠１１の円周方向に沿って等間隔に複数（本例では３箇所）形成されている。
また、凸部１１ａの外周面には径方向外側に突出する凸部１１ｃを有し、後述する固定枠１５の内周面に設けられた光軸に平行な直進溝１５ｄに摺動可能に係合する。従って、ガイド枠１１は固定枠１５に対し光軸方向に相対移動可能で、光軸周りに相対回転ができないようになっている。
【００１９】
また、ガイド枠１１の内周面には、光軸Ｏに平行方向に延びる有底の直進溝１１ｂが複数形成されている。この複数の直進溝１１ｂは、上記各凸部１１ａに対応する各部位に形成されている。つまり、複数の直進溝１１ｂは、ガイド枠１１の内周円周方向に沿って等間隔に複数（本例では３箇所）形成されている。この直進溝１１ｂには、１群枠保持枠１２の突起部１２ａの外向凸部（後述する）が摺動自在に係合している。これにより、ガイド枠１１と１群枠保持枠１２とは相対的に光軸Ｏ周りに回転することを規制されており、かつ光軸Ｏ方向には相対的に移動可能となっている。
【００２０】
１群枠保持枠１２は、後述する１群レンズ２１ａを固定する１群レンズ保持枠２１を保持し、当該１群レンズ保持枠２１を光軸Ｏに沿う方向に進退移動させる構成部材である。１群枠保持枠１２は、全体が略円環形状若しくは略円筒形状に形成されており、ガイド枠１１に内挿配置されている。１群枠保持枠１２の前端内周側には、１群レンズ保持枠２１が固設されている。この１群レンズ保持枠２１は、全体が略円環形状に形成されたレンズ保持部材である。そのために、１群レンズ保持枠２１の円環形状の略中央部分には開口が形成されている。１群レンズ保持枠２１の開口には、本レンズ鏡筒１の撮像光学系を構成する複数の光学レンズのうちの１群レンズ２１ａが固定保持されている。
【００２１】
１群枠保持枠１２は、後端縁部に光軸Ｏに沿って後方に向けて突設される突起部１２ａが形成されている。この突起部１２ａは、１群枠保持枠１２の円周方向に沿って等間隔に複数（本例では３箇所）形成されている。各突起部１２ａの外周面上には、径方向外方に向けて突出する外向凸部が形成されている。この突起部１２ａの外向凸部は、上述したようにガイド枠１１の直進溝１１ｂに摺動自在に係合している。これにより、当該１群枠保持枠１２は、ガイド枠１１によって光軸Ｏ周りの回転規制されつつ直進ガイドされている。
【００２２】
また、１群枠保持枠１２の各突起部１２ａには、上記外向凸部の形成されている部位とは反対側の部位、即ち内周面側に、径方向内方に向けて突出するカムピン１２ｂが突設されている。このカムピン１２ｂは、カム枠１３の外周カム溝１３ｂ（後述する）にカム結合している。このカム結合によって、１群枠保持枠１２は、カム枠１３の光軸Ｏ周りの回転を受けて光軸Ｏに沿う方向に進退自在となっている。
【００２３】
カム枠１３は、１群枠保持枠１２と２群レンズ保持枠２２とを光軸Ｏに沿う方向に進退移動させる構成部材である。カム枠１３は、全体が略円環形状若しくは略円筒形状に形成されており、１群枠保持枠１２に内挿配置されている。カム枠１３の外周面には複数（例えば三条）の有底の外周カム溝１３ｂが形成されている。この外周カム溝１３ｂには、上述したように１群枠保持枠１２のカムピン１２ｂがカム結合している。これにより、カム枠１３は、光軸Ｏ周りに回転することにより１群枠保持枠１２を光軸Ｏ方向に進退移動させるようになっている。
【００２４】
また、カム枠１３の内周面には、複数（例えば三条）の有底の内周カム溝１３ａが形成されている。この内周カム溝１３ａには、２群レンズ保持枠２２の２Ｇカムピン２２ｄがカム結合している。ここで、２群レンズ保持枠２２は、後述するように移動枠１４の内側に配設されている。２群レンズ保持枠２２の２Ｇカムピン２２ｄは、移動枠１４の直進溝１４ａを貫通して外方に突設されて、上記カム枠１３の内周カム溝１３ａにカム結合している。これにより、カム枠１３は、２群レンズ保持枠２２を光軸Ｏ方向に進退移動させるようになっている。
【００２５】
そして、カム枠１３の後端縁部内周面には、内歯ギア１３ｃが円周方向に沿って所定の範囲に形成されている。この内歯ギア１３ｃには、後述する電動駆動源の一つであるズームモータ３１からの駆動力を伝達するため駆動力伝達機構のギアー（不図示）が噛合している。これにより、ズームモータ３１が駆動されると、その駆動力が上記駆動力伝達機構を介して内歯ギア１３ｃへと伝達され、カム枠１３が光軸Ｏ周りに回転するようになっている。
【００２６】
さらに、カム枠１３の後端縁部外周面には、径方向外方に向けて突出する複数の凸部１３ｄが形成されている。この凸部１３ｄは、固定枠１５の後述する内周カム溝１５ｄに係合している。これにより、カム枠１３が回転すると、同カム枠１３の凸部１３ｄが固定枠１５の内周カム溝１５ｄに沿って移動する。したがって、このときカム枠１３は、固定枠１５に対して光軸Ｏ周りに回転しながら光軸Ｏに沿う方向に進退移動する。なお、凸部１３ｄは、カム枠１３の円周方向に沿って等間隔に複数（本例では３箇所）形成されている。
【００２７】
移動枠１４は、全体が略円環形状若しくは略円筒形状に形成されており、カム枠１３に内挿配置されている。移動枠１４の内部には、電動駆動源であるズームモータ３１及びフォーカスモータ（不図示）が固設されている。移動枠１４の周面には、光軸Ｏに沿う方向に延びる直進溝１４ａが形成されている。この直進溝１４ａは、移動枠１４の円周方向に沿って等間隔に複数（本例では３箇所）形成されている。なお、直進溝１４ａは、移動枠１４の周面を貫通して形成されている。各直進溝１４ａには、上述したように、２群レンズ保持枠２２の２Ｇカムピン２２ｄが摺動自在に係合している。
【００２８】
移動枠１４の後端縁部には、円板形状に形成されたガイド枠固定板２５が、例えばビス等の固定手段により固設されている。このガイド枠固定板２５の外周縁部には、複数（本例では３箇所）の切欠部位２５ａ（係合部）が形成されている。各切欠部位２５ａには、上述したように、ガイド枠１１の各凸部１１ａが係合している。これにより、ガイド枠固定板２５が固定されている移動枠１４とガイド枠１１とが一体化されている。
【００２９】
上述したように、ガイド枠１１の内周側には１群枠保持枠１２が回転規制されながら光軸方向に進退自在に内挿されている。１群枠保持枠１２の内周側にはカム枠１３が回転自在に内挿されている。ここで、カム枠１３は１群枠保持枠１２との間でカム結合している。これにより、カム枠１３が回転すると１群枠保持枠１２は光軸方向に進退移動する。カム枠１３の内周側には移動枠１４が内挿されている。ここで、移動枠１４とガイド枠１１とは一体化されている。これにより、移動枠１４は、ガイド枠１１と共に回転規制されつつ光軸方向に進退自在となっている。そして、移動枠１４に対してカム枠１３は回転自在となっている。
【００３０】
このようにしてガイド枠１１，１群枠保持枠１２，カム枠１３，移動枠１４とが組み立てられる。そのユニットは、固定枠１５に内挿されている。
【００３１】
固定枠１５は、全体が略円環形状若しくは略円筒形状に形成された構成部材である。固定枠１５の後端縁部には、レンズ側マウントリング１７が、例えばビス等の固定手段によって固設されている。このレンズ側マウントリング１７は、当該レンズ鏡筒１を適用するカメラ本体（不図示）の前面に設けられるカメラ側マウント部位（不図示）に係合することで、当該レンズ鏡筒１をカメラ本体（不図示）に装着するための接続用構成部材である。このようにして、当該レンズ鏡筒１をカメラ本体に装着した状態としたとき、固定枠１５はカメラ本体に対して固定される。
【００３２】
固定枠１５の内周面には、複数の内周カム溝１５ｄが形成されている。各内周カム溝１５ｄには、上述したように、カム枠１３の各凸部１３ｄが係合している。これにより、カム枠１３が固定枠１５に対して回転されると、カム枠１３は、回転しながら光軸Ｏ方向に進退する。
【００３３】
また、固定枠１５の後端面の所定の部位には、ガイド板３０の固定部３０ａが例えばビス等の固定手段によって固設されている。このガイド板３０は、固定枠１５と移動枠１４との間に設けられるフレキシブルプリント基板２０の暴れを抑えるために設けられ、当該フレキシブルプリント基板２０の収納状態を保持するガイド部材である。このガイド板３０の詳細構成については後述する。
【００３４】
なお、上記固定枠１５の外周面上には、（図１，図３等においては図示を省略しているが）図２に示すように、複数の円環状に形成される操作部材、即ちズームリング３３及びフォーカスリング３４が回動自在に配設されている。また、固定枠１５の外周面上の後端寄りの部位には、外観装飾のための円環状外装部材３５が固設されている。
【００３５】
基板ユニット１６は、全体が略円環形状に形成された基板枠１６ｃと、この基板枠１６ｃの外周側に配設される電気基板、例えば硬質基板によって形成されるメイン基板１６ａや軟性基板からなるフレキシブルプリント基板１６ｂ等によって構成されている。ここで、メイン基板１６ａやフレキシブルプリント基板１６ｂは、基板枠１６ｃの外周の円弧形状に沿う円弧を有して形成され、その板面上に各種の電気部品や電気接点部等が実装されている。これらメイン基板１６ａやフレキシブルプリント基板１６ｂは、図６に示すように、基板枠１６ｃの外周面に対して光軸Ｏに直交する方向より嵌合されている。そのために。基板枠１６ｃの外周面には、径方向に深さと光軸方向にメイン基板１６ａの厚みより僅かに大きい幅とを有する円周溝１６ｄが形成されており、この円周溝に対して、上記メイン基板１６ａやフレキシブルプリント基板１６ｂが嵌合配置されている。
【００３６】
このようにして基板枠１６ｃにメイン基板１６ａ，フレキシブルプリント基板１６ｂ等が取り付けられた状態の上記基板ユニット１６は、レンズ側マウントリング１７に対して例えばビス等の固定手段によって固設されている。これにより、メイン基板１６ａ，フレキシブルプリント基板１６ｂは、径方向に抜け落ちてしまうことなく、確実に組立状態が維持されるようになっている。なお、メイン基板１６ａ，フレキシブルプリント基板１６ｂ等の脱落を抑えるために、さらに、接着剤等を用いて固定状態を確保するようにしてもよい。
【００３７】
レンズ側マウントリング１７は、全体が略円環形状に形成され、レンズ鏡筒１をカメラ本体（不図示）に接続固定するための接続用構成部材である。このレンズ側マウントリング１７は、上述したように、固定枠１５の後端部に固設されている。レンズ側マウントリング１７には、その後端面側の所定部位に複数の金属切片などからなる電気接点部１７ａが配設されている。この複数の電気接点部１７ａは、上記フレキシブルプリント基板１６ｂに実装される接点と電気的に接続されている。一方、上記複数の電気接点部１７ａは、本レンズ鏡筒１がカメラ本体に上記レンズ側マウントリング１７を介して装着状態となったときに、カメラ側マウント部位（不図示）に配設されるカメラ本体側の電気接点部（不図示）と接触して、上記レンズ鏡筒１とカメラ本体（不図示）との間の電気的接続を確保する役目をしている。
【００３８】
さらに、上記レンズ側マウントリング１７には、その後端側から４群レンズ保持枠２４が、例えばビス等の固定手段によって固設されている。
【００３９】
本実施形態のレンズ鏡筒１における撮像光学系は、複数の光学レンズ、即ち１群レンズ２１ａ，２群レンズ２２ａ，３群レンズ２３ａ，４群レンズ２４ａによって構成される。これらの光学レンズ群は、当該レンズ鏡筒１の前方から順に光軸Ｏに沿って配置される。各光学レンズ群は、１群レンズ保持枠２１，２群レンズ保持枠２２，３群レンズ保持枠２３，４群レンズ保持枠２４によってそれぞれ保持されている。
【００４０】
このうち１群レンズ２１ａを保持する１群レンズ保持枠２１は、上述したように、１群枠保持枠１２によって保持されている。したがって、１群レンズ２１ａ（１群レンズ保持枠２１）は、１群枠保持枠１２と共にカム枠１３の回転を受けて光軸Ｏに沿う方向に進退移動する。
【００４１】
２群レンズ２２ａを保持する２群レンズ保持枠２２は、上述したように、移動枠１４の内部に配設されている。ここで、２群レンズ保持枠２２の外周から外方に向けて突設されている２Ｇカムピン２２ｄが、移動枠１４の直進溝１４ａを貫通して、カム枠１３の内周カム溝１３ａにカム結合している。これにより、２群レンズ保持枠２２は、移動枠１４によって回転規制されつつ、カム枠１３によって光軸Ｏ方向に進退移動自在に保持されている。したがって、２群レンズ２２ａ（２群レンズ保持枠２２）は、カム枠１３の回転に応じて光軸Ｏに沿う方向に進退移動する。なお、本実施形態のレンズ鏡筒１において、１群レンズ２１ａ，２群レンズ２２ａは、ズームモータ３１によって回転駆動されるカム枠１３の駆動力を受けて光軸Ｏ方向に進退することで、当該撮像光学系の焦点距離を変倍させるズーム光学系を構成するレンズ群である。
【００４２】
３群レンズ２３ａを保持する３群レンズ保持枠２３は、上記２群レンズ保持枠２２と同様に移動枠１４の内部に配設されている。ここで、３群レンズ保持枠２３は、光軸Ｏ上において上記２群レンズ保持枠２２の後方に配置されており、不図示の焦点調節機構によって、光軸Ｏ方向に進退自在となっている。つまり、本実施形態のレンズ鏡筒１において、３群レンズ２３ａは、フォーカス光学系を構成するレンズ群である。
【００４３】
４群レンズ２４ａを保持する４群レンズ保持枠２４は、上述したように、レンズ側マウントリング１７に固定保持されている。したがって、４群レンズ２４ａ（４群レンズ保持枠２４）は、固定枠１５に対してレンズ側マウントリング１７を介して一体に固設されている固定レンズ群である。
【００４４】
上述したように、本実施形態のレンズ鏡筒１においては、移動枠１４の内部に電動駆動源であるズームモータ３１やフォーカスモータ３２（図２，図３等参照）等の電気的な構成部品が固設されている。これらの電気部品等に対して電力を供給したり制御信号等の伝達等、電気的な接続を確保するために、本レンズ鏡筒１においては、例えばフレキシブルプリント基板２０等を適用している。
【００４５】
このフレキシブルプリント基板２０は、図２等に示すように、一端がメイン基板１６ａに接続されて、当該メイン基板１６ａから延出され、その他端側は、例えば移動枠１４内部に形成された空間１４ｅを介して、当該移動枠１４内部に配設された各電気部品へと接続されている。つまり、上記フレキシブルプリント基板２０は、固定枠１５に固設されたメイン基板１６ａと、移動枠１４内部に配設される電気部品のうち特に電動駆動源（ズームモータ３１やフォーカスモータ３２）等との間を電気的に接続する構成部材である。尚、図３，図８では説明のため、フレキシブルプリント基板２０を一部破断して示している。
【００４６】
この場合において、移動枠１４は、固定枠１５に対して移動する。このことから、フレキシブルプリント基板２０は、上記移動枠１４の移動に合わせて余裕を持たせた長さが必要になる。そのために、移動枠１４には、上記空間１４ｅを設け、この空間１４ｅの内部において、移動に伴うフレキシブルプリント基板２０の形態変化を吸収するようにしている。また、移動するフレキシブルプリント基板２０の暴れを抑えて、当該フレキシブルプリント基板２０が常に所定の空間１４ｅ内で移動し得るようにガイドするためのガイド部材として、固定枠１５と移動枠１４との間にガイド板３０が設けられている。
【００４７】
上記ガイド板３０は、弾性（ばね性）を有する金属製薄板状部材を折り曲げ加工した形態となっている。ガイド板３０は、一端側の固定部３０ａと、他端側の圧接部３０ｂと、上記固定部３０ａと上記圧接部３０ｂとの間の延出部３０ｃとによって形成されている。そして、本実施形態においてガイド板３０は、上記固定部３０ａが固定され、上記圧接部３０ｂが自由端となる片持ち梁状に形成されている。
【００４８】
具体的には、上記ガイド板３０の一端の固定部３０ａは、固定枠１５の後端面の固定部位に対してビス等の固定手段を用いて固定されている。この固定部３０ａは、固定枠１５の径方向に所定距離だけ延出して形成される領域である。上記固定部３０ａの端部から角度略９０度折り曲げられて光軸Ｏに沿う方向において当該レンズ鏡筒１の前方に向けて延出する領域に光軸と平行な延出部３０ｃが形成されている。そして、この延出部３０ｃの先端側他端部位には、圧接部３０ｂが形成されている。この圧接部３０ｂは、断面が円弧形状を有し、外周側に向けて突出するように形成されている。上記延出部３０ｃと圧接部３０ｂとは、移動枠１４の上記空間１４ｅの内部に配置されている。そして、上記圧接部３０ｂは、上記空間１４ｅの内壁面に当て付いている。上述したように、ガイド板３０は、弾性（ばね性）を有し、例えば片持ち梁状に形成されている。したがって、ガイド板３０の他端に形成される上記圧接部３０ｂは、移動枠１４の上記空間１４ｅ内の壁面（内周面）に対して径方向に当て付けられている。これにより、ガイド板３０は、移動枠１４を、当該移動枠１４の外周側に外装されるカム枠１３の内周面に向けて押し当てている。上記ガイド板３０としては、例えばステンレス（ＳＵＳ）製の薄板状部材（例えば板厚ｔ＝０．２ｍｍ程度のもの）が適用される。
【００４９】
なお、ガイド板３０の形態について、本実施形態においては、片持ち梁状に形成されているものとしたが、この例に限られることはない。また、ガイド板３０は、固定枠１５（第１の枠）に固定部３０ａが固定され、移動枠１４（第２の枠）に圧接部３０ｂを当て付けるように構成しているが、この例に限られることはない。例えば、移動枠１４（第２の枠）に固定部３０ａを固定し、固定枠１５（第１の枠）に圧接部３０ｂを当て付けるような構成としてもよい。
【００５０】
このように構成された本実施形態のレンズ鏡筒１の作用を以下に簡単に説明する。
本レンズ鏡筒１を適用するカメラ本体（不図示）の前面の所定の部位（カメラ側マウント部位（不図示））に対して、本レンズ鏡筒１がレンズ側マウントリング１７を介して装着された状態にあるものとする。このとき、レンズ鏡筒１とカメラ本体（不図示）とは、マウント部位において電気的に接続されている状態にある。
【００５１】
このように、本実施形態のレンズ鏡筒１と、これを適用するカメラ本体とが接続された状態において、カメラ本体の電源状態がオフ状態にあるとき、レンズ鏡筒１は、例えば図４に示すように、各枠部材が径方向に重なり合って全体が縮んだ状態のいわゆる沈胴状態にあるものとする。この状態において、例えばカメラ本体側の操作部材（不図示）を操作して電源状態をオン状態にすると、カメラ本体側の内部に設けられる制御部（不図示）は、レンズ鏡筒１側の例えば上記メイン基板１６ａに実装されているレンズ側制御部と協働して、電動駆動源であるズームモータ３１を駆動制御する。これにより、ズームモータ３１が回転駆動すると、その駆動力は不図示の上記駆動力伝達を介してカム枠１３の内歯ギア１３ｃへと伝達され、カム枠１３を光軸Ｏ周りに回転させる。すると、カム枠１３は、固定枠１５に対して回転しながら光軸Ｏに沿う方向において前方に向けて繰り出される。これと同時にカム枠１３は、内周カム溝１３ａ及び２Ｇカムピン２２ｄを介して２群レンズ保持枠２２を光軸Ｏに沿う方向において所定方向に進退移動させる。また同時に、カム枠１３は、外周カム溝１３ｂ及びカムピン１２ｂを介して１群枠保持枠１２を光軸Ｏに沿う方向において前方に繰り出させる。また、このとき、移動枠１４とガイド枠１１とは一体的に前方へ繰り出される。
【００５２】
この場合において、ガイド板３０は、固定枠１５と移動枠１４との間に設けられており、基板ユニット１６のメイン基板１６ａから移動枠１４内部へと延設されるフレキシブルプリント基板２０の暴れを抑えてガイドしている。これと同時に、ガイド板３０は、常に自身の弾性によって、移動枠１４を外周側に向けて押し付けている。この構成によって、移動枠１４内部に固設されている電動駆動源（ズームモータ３１，フォーカスモータ３２等）が駆動されることによって生じる振動が、移動枠１４から他の構成部材へと伝わることを緩和している。また、当該振動に起因して発生する異音，騒音等も抑止される。
【００５３】
以上説明したように上記一実施形態によれば、移動枠１４に電動駆動源（ズームモータ３１，フォーカスモータ３２）を搭載して構成されるレンズ鏡筒１において、固定部（固定枠１５）と移動部材（移動枠１４）との間に配設されるフレキシブルプリント基板２０が、移動枠１４の移動に伴って暴れることを抑えてガイドするために設けられているガイド板３０を弾性（ばね性）を有する部材によって構成している。そして、このガイド板３０の一端の固定部３０ａを固定枠１５に固定する一方、他端の圧接部３０ｂを移動枠１４に押し付けるように配置している。
【００５４】
このような構成とすることによって、移動枠１４に搭載された電動駆動源（ズームモータ３１，フォーカスモータ３２）が駆動することによって生じる振動を緩和して、当該振動が他の構成部材へと伝わるのを抑止することができる。また、当該駆動に起因して発生する異音，騒音等をも抑止することができる。
【００５５】
なお、上記一実施形態においては、本発明を適用するレンズ鏡筒として、カメラ本体に対して着脱自在に構成されるレンズ鏡筒を例示しているが、この形態に限られることはない。例えば、カメラ本体とレンズ鏡筒とが一体に構成されるカメラにおいても、本発明の構成は、全く同様に適用することができる。
【００５６】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００５７】
本発明は、デジタルカメラ等の撮影機能に特化した電子機器である撮像機器（カメラ）に適用されるレンズ鏡筒のみに限られることはなく、撮影機能を備えた他の形態の電子機器、例えば携帯電話，スマートフォン，録音機器，電子手帳，パーソナルコンピュータ，タブレット端末機器，ゲーム機器，携帯テレビ，時計，ＧＰＳ（Global Positioning System）を利用したナビゲーション機器等、各種の撮影機能付き電子機器にも広く適用することができる。
【００５８】
さらに、撮像素子を用いて画像を取得し、その取得画像を表示装置に表示する機能を有する電子機器、例えば望遠鏡，双眼鏡，顕微鏡等の観察用機器に適用されるレンズ鏡筒に対しても同様に適用することができる。
【符号の説明】
【００５９】
１……レンズ鏡筒，
１１……ガイド枠，１１ａ……凸部，１１ｂ……直進溝，１１ｃ……凸部，
１２……１群枠保持枠，１２ａ……突起部，１２ｂ……カムピン，
１３……カム枠，１３ａ……内周カム溝，１３ｂ……外周カム溝，１３ｃ……内歯ギア，１３ｄ……凸部，
１４……移動枠，１４ａ……直進溝，１４ｅ……空間，
１５……固定枠，１５ｄ……内周カム溝，１５ｅ……直進溝，
１６……基板ユニット，１６ａ……メイン基板，１６ｂ……フレキシブルプリント基板，１６ｃ……基板枠，
１７……レンズ側マウントリング，１７ａ……電気接点部，
２０……フレキシブルプリント基板，
２１……１群レンズ保持枠，２１ａ……１群レンズ，
２２……２群レンズ保持枠，２２ａ……２群レンズ，２２ｄ……２Ｇカムピン，
２３……３群レンズ保持枠，２３ａ……３群レンズ，
２４……４群レンズ保持枠，２４ａ……４群レンズ，
２５……ガイド枠固定板，２５ａ……切欠部位，
３０……ガイド板，３０ａ……固定部，３０ｂ……圧接部，３０ｃ……延出部，
３１……ズームモータ，
３２……フォーカスモータ，
３３……ズームリング，
３４……フォーカスリング，
３５……円環状外装部材，
【図１】
2015138260.tif 000003
【図２】
2015138260.tif 000004
【図３】
2015138260.tif 000005
【図４】
2015138260.tif 000006
【図５】
2015138260.tif 000007
【図６】
2015138260.tif 000008
【図７】
2015138260.tif 000009
【図８】
2015138260.tif 000010